(57)【特許請求の範囲】
【請求項１】
エレベータ乗り場に設けられ、回路基板が収容された機器ボックスと、この機器ボックスの前面に取り付けられ、前記回路基板と接続線を介して接続された操作パネルとを備える操作盤を保守点検する際に用いられる保持装置であって、
前記機器ボックスとこの機器ボックスから取り外した操作パネルとを前記接続線を介して接続したまま保持することが可能な保持具と、前記機器ボックスと操作パネルとを前記保持具に脱着可能に係止して固定するための係止手段とを具備し、
前記操作盤の保守点検時に、前記機器ボックスの前面から前記操作パネルが取り外され、その機器ボックスと操作パネルとが、前記接続線を介して互いに接続されたまま、前記機器ボックスの前面と前記操作パネルの前面との双方が同じ方向を向き、かつ横に並ぶ状態で前記保持具に保持され、この状態で前記機器ボックスと前記操作パネルとが前記保持具に前記係止手段を介して固定されることを特徴とするエレベータの操作盤保持装置。
【請求項２】
前記保持具はコ状をなしていることを特徴とする請求項１に記載のエレベータの操作盤保持装置。
【発明の詳細な説明】
【技術分野】
【０００１】
この発明の実施形態は、エレベータの乗り場の操作盤を保守点検する際に用いられるエレベータの操作盤保持装置に関する。
【背景技術】
【０００２】
建屋の各階におけるエレベータの乗り場には、かご呼び用の操作ボタンを備える操作盤が設けられている。この種の操作盤は、機器ボックスと、この機器ボックスの前面に脱着可能に取り付けられる操作パネルとを備えている。機器ボックス内には回路基板などの機器類が収容され、操作パネルの表面には、乗客が指先で操作する操作ボタンやかごの現在位置などを表示する表示部が設けられている。
【０００３】
操作盤の機器ボックスは、エレベータ出入口の脇の建屋壁に形成された嵌合穴内に嵌め込んで据え付けられ、この機器ボックスの前面に操作パネルが取り付けられる。操作パネルは機器ボックス内の回路基板に接続線を介して接続されている。（特許文献１参照）。
【先行技術文献】
【特許文献】
【０００４】
【特許文献１】特開２００９−２２７４０２号公報
【発明の概要】
【発明が解決しようとする課題】
【０００５】
操作盤の保守点検の際には、作業員が嵌合穴内から機器ボックス及び操作パネルを抜き取り、さらにその機器ボックスの前面から操作パネルを取り外し、この状態で機器ボックス内の回路基板などを点検する。
【０００６】
この際、操作パネルは機器ボックスと接続線を介して繋がっており、したがって機器ボックスの前面から操作パネルを取り外してもその機器ボックスと操作パネルとを完全に切り離すことはできない。このため、機器ボックスに操作パネルが繋がった状態のもとで機器ボックスに対する保守点検の作業を実施しなければならない。
【０００７】
しかしながら、機器ボックスに接続線を介して操作パネルが繋がっていると、その接続線や操作パネルが乱れ動いて作業の邪魔となり、またその乱れ動きで接続線や操作パネルを損傷させてしまう恐れがある。操作パネルを作業員が片手で持って作業することも考えられるが、これでは保守点検の作業を両手で行なうことができず、能率が大幅に低下してしまう。
【０００８】
操作パネルと機器ボックスとがコネクタ付きの接続線で繋がれたタイプのものもあり、この場合にはそのコネクタを外すことで操作パネルを機器ボックスから切り離すことができる。しかしながらこの場合、切り離した操作パネルを作業現場の周辺に無造作に置くと、その作業現場の周辺の他の機器や工具類などの中に操作パネルが紛れ込み、再組立の際に操作パネルが直ぐに見つからず、戸惑うようなことが起こり作業能率が低下する。また、コネクタをいちいち脱着する必要があり、その分、手間がかかり、作業能率が低下する。
【０００９】
この発明の実施形態は、このような課題に着目し、機器ボックスに繋がっている操作パネルを適正に保持して保守点検の作業を能率よく行なうことができるエレベータの操作盤保持装置を提供することを目的としている。
【課題を解決するための手段】
【００１０】
課題を解決するために、請求項１の発明は、エレベータ乗り場に設けられ、回路基板が収容された機器ボックスと、この機器ボックスの前面に取り付けられ、前記回路基板と接続線を介して接続された操作パネルとを備える操作盤を保守点検する際に用いられる保持装置であって、前記機器ボックスとこの機器ボックスから取り外した操作パネルとを前記接続線を介して接続したまま保持することが可能な保持具と、前記機器ボックスと操作パネルとを前記保持具に脱着可能に係止して固定するための係止手段とを具備し、前記操作盤の保守点検時に、前記機器ボックスの前面から前記操作パネルが取り外され、その機器ボックスと操作パネルとが、前記接続線を介して互いに接続されたまま、前記機器ボックスの前面と前記操作パネルの前面との双方が同じ方向を向き、かつ横に並ぶ状態で前記保持具に保持され、この状態で前記機器ボックスと前記操作パネルとが前記保持具に前記係止手段を介して固定されることを特徴とするエレベータの操作盤保持装置である。
【００１１】
請求項２の発明は、前記保持具がコ状をなしていることを特徴としている。
【図面の簡単な説明】
【００１２】
【図１】この発明の一実施形態を説明するためのエレベータ乗り場の外観図。
【図２】そのエレベータ乗り場の操作盤を示す正面図。
【図３】図２中のI−I線に沿う断面図。
【図４】その操作盤の機器ボックスと操作パネルを示す正面図。
【図５】この発明の一実施形態に係る操作盤保持用の保持具を示す正面図。
【図６】エレベータ乗り場の操作盤を取り外すときの手順を説明するための正面図。
【図７】（Ａ）、（Ｂ）は、取り外した操作盤の機器ボックスと操作パネルとを保持具で保持するときの手順を説明するための正面図。
【図８】（Ａ）は図７中のII−II線に沿う断面図、（Ｂ）は同じくIII−III線に沿う断面図。
【発明を実施するための形態】
【００１３】
以下、この発明の実施の形態について図面を参照して説明する。
【００１４】
図１にはエレベータ乗り場１の外観を示してある。乗り場１に面する建屋壁２にはエレベータ出入口３が形成され、この出入口３に例えば両開き式のドア装置４が設けられている。ドア装置４は一対のドアパネル４ａ，４ｂを備え、これらドアパネル４ａ，４ｂが左右に移動することで出入口３が開閉される。
【００１５】
出入口３の脇の建屋壁２には操作盤７が据え付けられている。図２には建屋壁２に据え付けられた操作盤７の正面図を、図３には図２中のI−I線に沿う断面図をそれぞれ示してある。
【００１６】
建屋壁２には嵌合穴８が形成され、この嵌合穴８内に固定枠９が据え付けられている。操作盤７は、嵌合穴８内の固定枠９に取り付けられた機器ボックス１２と、この機器ボックス１２の前面に取り付けられ、嵌合穴８の前面の開口面に配置された操作パネル１３とからなる。
【００１７】
図４には機器ボックス１２から操作パネル１３を取り外した状態を示してあり、機器ボックス１２内には回路基板１５が収容され、また機器ボックス１２の上下縁部には舌片１６が一体に突出形成され、この舌片１６の中央部に透孔１７が形成されている。操作パネル１３の表面には、かご呼び用の操作ボタン１８ａ，１８ｂ及びかごの現在位置と移動方向とを表示する表示部１９が設けられている。かご呼び用の一方の操作ボタン１８ａは上階行き用で、他方の操作ボタン１８ｂは下階行き用である。操作パネル１３は機器ボックス１２内の回路基板１５に接続線２０を介して接続されている。接続線２０中間部にはコネクタ２１が設けられている。
【００１８】
操作パネル１３の上下縁部には、取付片２７が一体に突出形成されている。取付片２７はＴ状をなし、その中央部に透孔２８が形成され、さらに取付片２７の突出側縁部に操作パネル１３の裏面側に直角に折曲する折曲片２９が形成されている。
【００１９】
図３に示す操作盤７の据え付け状態においては、機器ボックス１２の前面に操作パネル１３が重ね合わされた状態で機器ボックス１２及び操作パネル１３が嵌合穴８内に収納されている。そして、操作パネル１３の各取付片２７の透孔２８から機器ボックス１２の各舌片１６の透孔１７に渡ってそれぞれ取付ねじ３２が挿入され、これら取付ねじ３２が嵌合穴８内の固定枠９に螺挿されて締め付けられることにより機器ボックス１２及び操作パネル１３が固定枠９に固定されている。なお、３３は、操作パネル１３の上下縁と嵌合穴８の開口縁との間に生じた隙間に圧入嵌着された化粧カバーである。
【００２０】
図５には操作盤７の保守点検時に使用する保持具３５を示してある。この保持具３５は平行に延びる一対の横桟３６と、これら横桟３６の一端側の端部間を繋ぐ縦桟３７とでコ状に形成され、各横桟３６の他端側の端部には互いに向き合う方向に直角に折曲する爪部３８が形成されている。さらに、各横桟３６には、機器ボックス１２における舌片１６の透孔１７に対応する取付孔４０と、操作パネル１３における取付片２７の透孔２８及び折曲片２９に対応する取付孔４１及び差込孔４２とが横桟３６の長手方向に並んで形成されている。機器ボックス１２の透孔１７に対応する取付孔４０はその透孔１７よりも十分に大きな形状に、また操作パネル１３の透孔２８及び折曲片２９に対応する取付孔４１及び差込孔４２はその取付孔４１及び差込孔４２よりも十分に大きな形状に形成されている。
【００２１】
保持具３５は、係止手段として用いられる複数の挟み片４４を備えている。これら挟み片４４は例えば鋼板をＵ状に折曲してなり、その互いに対向する両面部４４ａ，４４ｂに透孔４５が形成されている。透孔４５は、機器ボックス１２の舌片１６に形成された透孔１７や、操作パネル１３の取付片２７に形成された透孔２８よりも十分に大きな形状に形成されている。
【００２２】
次に、建屋壁２に図１及び図２に示すように据え付けられた操作盤７を保守点検する際の作業手順について説明する。
【００２３】
まず、図６に示すように、作業員が操作パネル１３の上下側に装着されている各化粧カバー３３を取り外し、各取付ねじ３２の頭を露出させる。次に、各取付ねじ３２をドライバ−などの工具を用いて緩めて抜き取り、さらに操作盤７を嵌合穴８内から引き抜く。
【００２４】
次に、図７（Ａ）に示すように、操作盤７の裏側に保持具３５を廻し、機器ボックス１２を保持具３５の横桟３６間に配置させ、機器ボックス１２の上下の各舌片１６を各横桟３６の表面に重ね合わせ、かつ機器ボックス１２の一側面を各横桟３６の端部の爪部３８に突き当てて位置決めし、各舌片１６の透孔１７を各横桟３６の取付孔４０に対向させる。
【００２５】
次に、機器ボックス１２の前面から操作パネル１３を外し、機器ボックス１２の脇側にずらすとともに、この操作パネル１３の上下の各取付片２７の折曲片２９を各横桟３６の差込孔４２に差し込み、操作パネル１３を保持具３５に仮止めしする。
【００２６】
次に、この状態で、機器ボックス１２の舌片１６と横桟３６との重ね合せ部分に、図７（Ｂ）に示すようにＵ状の挟み片４４を嵌め込み、挟み片４４の両面部で舌片１６と横桟３６を挟み、さらに挟み片４４の透孔４５、舌片１６の透孔１７、横桟３６の取付孔４０に渡って係止手段としての締結ねじ５０をワッシャ５１を通して挿入し、かつその先端部にナット５２を螺着して締め付け、舌片１６と横桟３６の重ね合せ部分を締結する。この締結の作業は機器ボックス１２の上下側の舌片１６に対してそれぞれ行なう。
【００２７】
さらに、操作パネル１３の取付片２７と横桟３６との重ね合せ部分においても同様に、Ｕ状の挟み片４４を嵌め込み、挟み片４４の両面部で取付片２７と横桟３６を挟み、挟み片４４の透孔４５、取付片２７の透孔２８、横桟３６の取付孔４１に渡って係止手段としての締結ねじ５０をワッシャ５１を通して挿入し、かつその先端部にナット５２を螺着して締め付け、取付片２７と横桟３６の重ね合せ部分を締結する。この締結の作業も操作パネル１３の上下側の取付片２７に対してそれぞれ行なう。
【００２８】
このように、機器ボックス１２と操作パネル１３とを横に並べて保持具３５に配置させるとともに、これら機器ボックス１２及び操作パネル１３を係止手段としての各挟み片４４、締結ねじ５０、ナット５２を用いて保持具３５に係止して固定する。なお、締結ねじ５０、ワッシャ５１、ナット５２などは、作業員が常備しているものを用いことも可能であるし、予め用意しておいたものを用いることも可能である。
【００２９】
以上の作業により、機器ボックス１２と操作パネル１３とが左右に隣り合って並ぶ状態で保持具３５に保持固定され、機器ボックス１２と操作パネル１３とが一体化される。そしてこの状態において、機器ボックス１２の回路基板１５などを点検し、必要に応じて補修などを行なう。この際、操作パネル１３は保持具３５に安定して保持固定され、機器ボックス１２と一体化されており、このため操作パネル１３や接続線２０が乱れ動くようなことがなく、したがって機器ボックス１２に対する保守点検の作業を容易に能率よく行なえ、また操作パネル１３や接続線２０の損傷を防止することができる。そして、操作パネル１３を個別に手で支える必要がないから、作業員が両手を用いて作業を行なえ、より能率的な作業を達成することができる。さらに、操作パネル１３を機器ボックス１２から切り離す必要がないから、操作パネル１３を紛失したり見失ったりするようなことがない。
【００３０】
また、この実施形態では、保持具３５に形成された取付孔４０、４１、差込孔４２が余裕のある大きな形状に形成されているから、サイズの異なる他の操作盤７の機器ボックス１２及び操作パネル１３に対しても対応することができる。
【００３１】
保守点検の作業が完了した後には、各締結ねじ５０を抜き取り、保持具３５から機器ボックス１２及び操作パネル１３を取り外し、その機器ボックス１２の前面に操作パネル１３を重ね合わせ、この状態で機器ボックス１２及び操作パネル１３を建屋壁２の嵌合穴８内に嵌め込み、機器ボックス１２及び操作パネル１３を取付ねじ３２で固定枠９に固定し、さらに操作パネル１３の上下側の隙間に化粧カバー３３を装着する。これにより操作盤７の再据え付けが完了する。
【００３２】
なお、前記実施形態は、例として提示したものであり、発明の範囲を限定することは意図していない。この発明の新規な実施形態は、その他の様々な形態とすることが可能であり、発明の要旨を逸脱しない範囲で、種々の省略、置き換え、変更を行うことができる。その実施形態やその変形は、発明の範囲や要旨に含まれるとともに、特許請求の範囲に記載された発明とその均等の範囲に含まれる。
【符号の説明】
【００３３】
１…エレベータ乗り場
７…操作盤
１２…機器ボックス
１３…操作パネル
１５…回路基板
１６…舌片
２０…接続線
２７…取付片
２８…透孔
２９…折曲片
３２…取付ねじ
３５…保持具
３６…横桟
３７…縦桟
３８…爪部
４４…挟み片
５０…締結ねじ
５２…ナット
【図１】
0005605859.tif 000002
【図２】
0005605859.tif 000003
【図３】
0005605859.tif 000004
【図４】
0005605859.tif 000005
【図５】
0005605859.tif 000006
【図６】
0005605859.tif 000007
【図７】
0005605859.tif 000008
【図８】
0005605859.tif 000009